(57)【要約】【課題】製版処理を実行中に製版処理が停止される場合であっても、スクリーン版が無駄に消費されることを抑制することが可能な製版装置を提供する。【解決手段】スクリーン版１０を製版する製版装置１であって、所定の画像をスクリーン版１０に製版する製版処理を行う製版部２０と、製版処理を実行中に製版処理の停止指示を検出した場合に、製版処理を停止するように製版部２０を制御する製版制御部３２と、製版処理が停止された場合に、スクリーン版１０において製版部２０により製版していない非製版領域Ａ２を特定する領域特定部３３と、所定の画像を示す所定の画像データ又は他の画像を示す他の画像データを非製版領域Ａ２に配置可能か否かを判断する判断部３４と、を備え、製版制御部３２は、非製版領域Ａ２に配置可能と判断された画像データに基づいて、製版部２０により製版処理させる。【選択図】図２
2018001520.tif 000002
【特許請求の範囲】
【請求項１】
スクリーン版を製版する製版装置であって、
所定の画像を前記スクリーン版に製版する製版処理を行う製版部と、
前記製版処理を実行中に前記製版処理の停止指示を検出した場合に、前記製版処理を停止するように前記製版部を制御する製版制御部と、
前記製版処理が停止された場合に、前記スクリーン版において前記製版部により製版していない非製版領域を特定する領域特定部と、
前記所定の画像を示す所定の画像データ又は他の画像を示す他の画像データを前記非製版領域に配置可能か否かを判断する判断部と、を備え、
前記製版制御部は、前記判断部により前記非製版領域に配置可能と判断された前記所定の画像データ又は前記他の画像データに基づいて、前記製版部により製版処理させる
ことを特徴とする製版装置。
【請求項２】
前記判断部は、前記所定の画像データの前記所定の画像又は前記他の画像データの前記他の画像を所定角度回転させたときに前記非製版領域に配置可能か否かを判断する
ことを特徴とする請求項１に記載の製版装置。
【発明の詳細な説明】
【技術分野】
【０００１】
本発明は、スクリーン版を製版する製版装置に関する。
【背景技術】
【０００２】
従来、Ｔシャツなどを対象に印刷するスクリーン印刷に用いられるスクリーン版（所謂、スクリーンマスタ）を製版するために、未製版のスクリーン版に加熱式などの手法により所定の画像を製版する製版処理を実行する製版装置が広く利用されている（例えば、特許文献１参照）。
【先行技術文献】
【特許文献】
【０００３】
【特許文献１】特開平９−７０９４０号公報
【発明の概要】
【発明が解決しようとする課題】
【０００４】
ところで、製版装置では、製版処理を実行中に、スクリーン版に製版すべき画像の間違いに気がついた場合などに、ユーザが所定の停止ボタンを押下することにより製版処理を停止させることができる。
【０００５】
ここで、製版処理を停止させたスクリーン版に対して同じ画像を再度製版すると、再加熱による損傷や画像の位置ずれなどによって製版品質の低下を招くおそれがある。このため、従来技術では、製版処理を実行中に製版処理を停止させた場合、スクリーン版に画像の一部が製版されているだけで、スクリーン版を破棄しなければならず、スクリーン版を無駄に消費せざるを得ないという問題があった。
【０００６】
なお、スクリーン版は、普通紙等の用紙と比べて高価なものであることから、スクリーン版を無駄に消費してしまうことは、印刷コストの増加の起因となるため、対策が望まれていた。
【０００７】
本発明は、上述の状況に鑑みてなされたもので、製版処理を実行中に製版処理が停止される場合であっても、スクリーン版が無駄に消費されることを抑制することが可能な製版装置を提供することを目的とする。
【課題を解決するための手段】
【０００８】
上記目的を達成するため、本発明に係る製版装置の第１の特徴は、スクリーン版を製版する製版装置であって、所定の画像を前記スクリーン版に製版する製版処理を行う製版部と、前記製版処理を実行中に前記製版処理の停止指示を検出した場合に、前記製版処理を停止するように前記製版部を制御する製版制御部と、前記製版処理が停止された場合に、前記スクリーン版において前記製版部により製版していない非製版領域を特定する領域特定部と、前記所定の画像を示す所定の画像データ又は他の画像を示す他の画像データを前記非製版領域に配置可能か否かを判断する判断部と、を備え、前記製版制御部は、前記判断部により前記非製版領域に配置可能と判断された前記所定の画像データ又は前記他の画像データに基づいて、前記製版部により製版処理させることにある。
【０００９】
本発明に係る製版装置の第２の特徴は、前記判断部は、前記所定の画像データの前記所定の画像又は前記他の画像データの前記他の画像を所定角度回転させたときに前記非製版領域に配置可能か否かを判断することにある。
【発明の効果】
【００１０】
本発明に係る製版装置の第１の特徴によれば、領域特定部は、製版処理が停止された場合に、スクリーン版において前記製版部により製版していない非製版領域を特定し、判断部は、所定の画像を示す所定の画像データ又は他の画像を示す他の画像データを非製版領域に配置可能か否かを判断する。そして、製版制御部は、判断部により非製版領域に配置可能と判断された所定の画像データ又は他の画像データに基づいて、前記製版部により製版処理させる。
【００１１】
これにより、判断部によって配置可能と判断された所定の画像又は他の画像を非製版領域に製版することが可能になるため、スクリーン版を再利用できる。また、製版途中で停止された製版済みの画像はセロハンテープなどで被覆することによって印刷品質には問題が生じない。よって、製版処理を実行中に製版処理が停止された場合であっても、スクリーン版を再利用することが可能になるため、スクリーン版が無駄に消費されることを抑制することができる。
【００１２】
本発明に係る製版装置の第２の特徴によれば、判断部は、所定の画像データの所定の画像又は他の画像データの他の画像を所定角度回転させたときに非製版領域に配置可能か否かを判断する。
【００１３】
これにより、判断部は、元の画像配置の向きに依存せずに回転させた画像を非形成領域に配置可能か否かを判断できるので、非形成領域に配置可能な画像が検出されやすくなる。よって、スクリーン版が再利用され易くなるため、スクリーン版が無駄に消費されることを抑制することができる。なお、スクリーン版の場合、紗枠を取り外して反転させるなどの配置調整を行えばスクリーン印刷に使用できるので、所定の画像や他の画像を回転させても仕上がりに問題は生じない。
【図面の簡単な説明】
【００１４】
【図１】本発明の第１実施形態に係る製版装置の概略構成を示す斜視図である。
【図２】本発明の第１実施形態に係る製版装置の機能を示すブロック図である。
【図３】本発明の第１実施形態に係る製版装置の動作を示すフローチャートである。
【図４】本発明の第１実施形態に係る製版装置によって製版されたスクリーン版を示す説明図である。
【図５】本発明の第１実施形態に係るスクリーン版に第１修正画像を重ねた状態を示す説明図である。
【図６】本発明の第１実施形態の変形例１に係るスクリーン版に第１修正画像を重ねた状態を示す説明図である。
【図７】本発明の第２実施形態に係る製版装置の動作を示すフローチャートである。
【図８】本発明の第２実施形態に係るスクリーン版に第２画像を重ねた状態を示す説明図である。
【図９】本発明の第２実施形態に係るスクリーン版に第２修正画像を重ねた状態を示す説明図である。
【図１０】本発明の第２実施形態の変形例１に係るスクリーン版に第２修正画像を重ねた状態を示す説明図である。
【図１１】本発明の他の実施形態に係る製版装置の概略構成を示す斜視図である。
【発明を実施するための形態】
【００１５】
以下、本発明の実施例に係る製版装置について、図面を参照しながら詳細に説明する。また、以下に示す実施例は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００１６】
［第１実施形態］
＜製版装置の概略構成＞
図１は、本発明の第１実施形態に係る製版装置１の概略構成図である。以下の説明では、図１に示すように、製版装置１において長手方向Ｘと幅方向Ｙとを規定して説明する。
【００１７】
製版装置１は、未製版のスクリーン版１０に所定の画像を製版することにより、スクリーン印刷に用いるスクリーン版１０を製版する。
【００１８】
スクリーン版１０は、縦糸と横糸とを編み上げて複数のメッシュを製版したスクリーン紗１１と、スクリーン紗１１上に接着剤により貼着した熱溶融性フィルム１２とにより、長方形状に形成されている。スクリーン版１０は、矩形状の紗枠１３内に取り付けられている。
【００１９】
図１に示すように、製版装置１は、製版部２０と制御部３０とを備える。
【００２０】
製版部２０は、所定の画像をスクリーン版１０に製版する製版処理を行う。製版部２０は、パルスモータ２１と、プラテンローラ２２と、サーマルヘッド２３とを備える。
【００２１】
プラテンローラ２２は、スクリーン版１０のスクリーン紗１１の下方において、回転自在に設けられている。プラテンローラ２２は、パルスモータ２１の駆動力によりに回転する。プラテンローラ２２は、スクリーン版１０の幅方向Ｙに沿ってこのスクリーン版１０の幅寸法と略同じ長さで長尺に形成されている。
【００２２】
スクリーン版１０の熱溶融性フィルム１２の上方には、熱溶融性フィルム１２を加熱穿孔するサーマルヘッド２３がスクリーン版１０を介してプラテンローラ２２に圧接するように設置されている。
【００２３】
サーマルヘッド２３は、スクリーン版１０の幅方向Ｙに沿ってこのスクリーン版１０の幅寸法と略同じ長さで長尺に形成されている。サーマルヘッド２３は、複数の発熱素子２０ｈが幅方向Ｙと平行な主走査方向に沿って所定のピッチ（例えば、６００ｄｐｉ）で１列に配置されている。例えば、Ａ３サイズ用のスクリーン版１０を用いた場合、発熱素子２０ｈは、スクリーン版１０の幅方向Ｙに沿って７０００個程度配列される。
【００２４】
本実施形態では、サーマルヘッド２３を固定し、このサーマルヘッド２３をスクリーン版１０上の端部に規定される初期位置にセットする。そして、プラテンローラ２２の回転によりスクリーン版１０を初期位置から副走査方向（矢印Ｘ１方向）に移動しながら、サーマルヘッド２３内に設けた複数の発熱素子２０ｈが、スクリーン版１０の熱溶融性フィルム１２に画像データに応じた画像を加熱穿孔する。
【００２５】
なお、本実施形態では、プラテンローラ２２とサーマルヘッド２３とでスクリーン版１０を副走査方向（矢印Ｘ１方向）に挟持搬送しているが、プラテンローラ２２を用いない方法を適用してもよい。例えば、サーマルヘッド２３を固定してスクリーン版１０を取り付けた紗枠１３を副走査方向（矢印Ｘ１方向）に移動させてもよいし、スクリーン版１０を取り付けた紗枠１３を固定してサーマルヘッド２３を副走査方向（矢印Ｘ１方向）に移動させてもよい。
【００２６】
制御部３０は、製版装置１における各種機能を制御する。制御部３０は、不図示のＣＰＵを備え、制御プログラムを読込んだＣＰＵにより実行される各種制御処理を実現する。また、制御部３０は、製版処理を実行する際、製版部２０を制御する。
【００２７】
制御部３０は、製版処理において、パルスモータ２１を介してプラテンローラ２２を回転させる。これにより、プラテンローラ２２とサーマルヘッド２３との間に挟み込まれたスクリーン版１０が主走査方向と直交する副走査方向（矢印Ｘ１方向）に移動する。
【００２８】
また、制御部３０は、製版処理において、サーマルヘッド２３内に設けた複数の発熱素子２０ｈに画像データに応じた加熱信号を選択的に印加する。これにより、スクリーン版１０に画像データに基づく画像が製版（形成）される。
【００２９】
次に、図２を参照して、製版装置１の構成について具体的に説明する。図２は、製版装置１の機能を示すブロック図である。
【００３０】
図２に示すように、製版装置１は、製版部２０と制御部３０とに加え、操作パネル部４０と記憶部５０とを備える。
【００３１】
操作パネル部４０は、各種表示画面を表示する表示パネル（不図示）と、各種処理を開始させるためのスタートキーや各種処理を停止させるためのストップキー等の操作キー（不図示）とを備える。
【００３２】
ユーザは、表示パネルの表示画面を見ながら、操作キーに入力することで、表示画面上に表示された各種の操作を行うことができる。操作パネル部４０は、ユーザ操作に基づく操作データを制御部３０に送信する。
【００３３】
記憶部５０は、ＲＡＭ、ＲＯＭあるいは不揮発性メモリなどで構成される。記憶部５０は、制御部３０を構成するＣＰＵの動作プログラムなどの各種プログラムや各種データやテーブルを格納する。また、記憶部５０は、ＣＰＵ動作時のワークエリアあるいは、各種データの展開メモリとしても機能する。
【００３４】
また、記憶部５０は、スクリーン版１０に製版される画像を示す画像データを記憶する。なお、画像データは、通信部（不図示）を介して外部から記憶されたデータであってもよい。
【００３５】
＜制御部の構成＞
次に、制御部３０の構成について具体的に説明する。図２に示すように、制御部３０は、停止検出部３１と、製版制御部３２と、領域特定部３３と、判断部３４とを備える。
【００３６】
停止検出部３１は、製版処理の停止指示を検出する。具体的に、停止検出部３１は、製版処理を実行中にユーザによって操作パネル部４０のストップキーが入力された場合に、製版処理の停止指示を検出する。
【００３７】
ここで、停止検出部３１により検出される停止指示は、製版処理を一時的に停止する一時停止指示ではなく、製版処理を取り消す指示であることに留意すべきである。
【００３８】
製版制御部３２は、製版部２０を制御する。また、製版制御部３２は、製版処理を実行中に製版処理の停止指示を検出した場合に、製版処理を停止するように製版部２０を制御する。具体的に、製版制御部３２は、製版処理を停止して、製版部２０のプラテンローラ２２及びサーマルヘッド２３を初期位置に移動させる。
【００３９】
領域特定部３３は、製版処理が停止された場合に、スクリーン版１０において第１画像（所定の画像）が製版されていない非製版領域Ａ２（図４参照）を特定する。
【００４０】
判断部３４は、製版処理の対象画像である第１画像を示す第１画像データ（所定の画像データ）を非製版領域Ａ２に配置可能か否かを判断する。また、判断部３４は、第１画像データの第１画像を所定角度回転させたときに非製版領域Ａ２に配置可能か否かを判断する。具体的に、判断部３４は、第１画像を１８０度回転させた第１修正画像を示す第１修正画像データを生成し、生成した第１修正画像データを非製版領域Ａ２に配置可能か否かを判断する。
【００４１】
＜製版装置の動作＞
次に、製版装置１の動作について説明する。図３は、製版装置１が製版処理を実行する際の動作を示すフローチャートである。
【００４２】
まず、ステップＳ１０において、例えば、ユーザが操作パネル部４０に製版処理の開始指示を入力すると、製版制御部３２は、記憶部５０から、製版処理の対象画像である第１画像を示す第１画像データを取得する。そして、製版制御部３２は、製版部２０を制御して、第１画像データに基づいて、スクリーン版１０に第１画像を製版する製版処理を開始する。
【００４３】
ステップＳ２０において、停止検出部３１は、製版処理の停止指示を検出したか否かを判定する。具体的に、停止検出部３１は、ユーザによって操作パネル部４０に停止指示が入力されたか否かを判定する。なお、停止検出部３１は、製版処理の停止指示を検出しない場合（ステップＳ２０“Ｎｏ”）、ステップＳ２０の動作を繰り返す。
【００４４】
ステップＳ３０において、停止検出部３１が製版処理の停止指示を検出した場合（ステップＳ２０“Ｙｅｓ”）、製版制御部３２は、製版処理を停止するように製版部２０を制御する。そして、領域特定部３３は、スクリーン版１０において画像が形成されていない非製版領域Ａ２を特定する。
【００４５】
具体的に、領域特定部３３は、サーマルヘッド２３の移動位置と、製版処理において取得した第１画像データに示される第１画像の位置とに基づいて、第１画像が製版された製版領域Ａ１と、第１画像が製版されていない非製版領域Ａ２とを特定する。
【００４６】
図４は、製版処理を停止させた状態を説明するための説明図である。なお、図４には、製版処理の対象画像である第１画像として、文字画像「Ａ」が一例として示されている。また、図４には、製版処理を停止させた際に、製版処理において既に製版した第１画像の一部を黒塗りの領域で示しており、製版していない第１画像の他部を点線の領域で示している。図４において、黒塗りの領域が、製版領域Ａ１を示し、黒塗りの領域以外の他の領域（点線の領域を含む）が、非製版領域Ａ２を示す。
【００４７】
図４に示すように、領域特定部３３は、製版領域Ａ１と非製版領域Ａ２とを特定する。そして、領域特定部３３は、非製版領域Ａ２を示す非製版領域データを生成する。なお、領域特定部３３は、製版処理が停止された際に、第１画像がどこにも製版されていない場合には、スクリーン版１０の全ての領域を非製版領域Ａ２として特定して、スクリーン版１０の全ての領域を示す非製版領域データを生成する。
【００４８】
次に、ステップＳ４０において、判断部３４は、第１画像が非製版領域Ａ２に配置可能であるか否かを判定する。
【００４９】
例えば、製版処理を停止した際に、第１画像がどこにも製版されていない場合、スクリーン版１０の全ての領域が非製版領域Ａ２として特定される。この場合、判断部３４は、第１画像を非製版領域Ａ２に配置可能であると判定し（ステップＳ４０“Ｙｅｓ”）、ステップＳ７０において、第１画像を非製版領域Ａ２に配置可能であることを、ユーザに通知する。
【００５０】
この後、製版制御部３２は、判断部３４により配置可能と判断された第１画像データに基づいて、製版部２０により製版処理を実行させる。具体的に、製版制御部３２は、スクリーン版１０に第１画像を再製版させる。なお、製版制御部３２は、例えば、ユーザによって操作パネル部４０に再製版の指示が入力された場合に、第１画像を再製版させてもよい。
【００５１】
一方、ステップＳ５０において、第１画像が非製版領域Ａ２に配置可能でない場合（ステップＳ４０“Ｎｏ”）、すなわち、製版処理が停止された際に少なくとも第１画像の一部が製版されていた場合、判断部３４は、第１画像を所定角度回転させた第１修正画像を生成する。
【００５２】
具体的に、判断部３４は、記憶部５０から第１画像を示す第１画像データを取得し、スクリーン版１０の中心Ｃを回転軸として、第１画像データに示される第１画像を１８０度回転だけ回転させる。
【００５３】
そして、判断部３４は、第１画像を回転させた第１修正画像Ｐａｒ（回転画像）を示す第１修正画像データを生成する。なお、所定角度は、１８０度として説明するが、特に限定されず、例えば、９０度であってもよいし、２７０度であってもよい。
【００５４】
ステップＳ６０において、判断部３４は、第１修正画像Ｐａｒが非製版領域Ａ２に配置可能であるか否かを判定する。具体的に、判断部３４は、第１修正画像データに示される第１修正画像Ｐａｒが、製版領域Ａ１に重複することなく、かつ、非製版領域Ａ２内に配置可能であるか否かを判定する。
【００５５】
ステップＳ７０において、判断部３４は、第１修正画像Ｐａｒが非製版領域Ａ２に配置可能であると判定した場合（ステップＳ６０“Ｙｅｓ”）、再製版可能であることをユーザに通知する。
【００５６】
ここで、図５は、スクリーン版１０の全体領域に第１修正画像Ｐａｒを重ね合わせた状態を示す説明図である。例えば、図５に示すように、１８０度だけ回転させた第１修正画像Ｐａｒが、製版領域Ａ１に重複することなく、かつ、非製版領域Ａ２内に配置可能である場合、判断部３４は、第１修正画像Ｐａｒを非製版領域Ａ２に配置可能であると判断する。
【００５７】
そして、判断部３４は、操作パネル部４０の表示画面に再製版可能であることを表す画面を表示して、ユーザに通知する。この後、製版制御部３２は、判断部３４により配置可能と判断された第１修正画像データに基づいて、製版部２０により製版処理を実行させる。具体的に、製版制御部３２は、製版部２０を制御して、スクリーン版１０に第１修正画像Ｐａｒの再製版を行う。なお、製版制御部３２は、例えば、ユーザによって操作パネル部４０に再製版の指示が入力された場合に、第１修正画像Ｐａｒを再製版してもよい。
【００５８】
一方、ステップＳ８０において、第１修正画像Ｐａｒが製版領域Ａ１と重複する場合、すなわち、第１修正画像が非製版領域Ａ２内に配置可能でない場合（ステップＳ５０“Ｎｏ”）、判断部３４は、操作パネル部４０の表示画面に再製版不可であることを表す画面を表示して、ユーザに通知する。
【００５９】
＜作用及び効果＞
以上のように、本発明の第１実施形態に係る製版装置１では、領域特定部３３は、製版処理が停止された場合に、スクリーン版１０において製版部２０により製版していない非製版領域Ａ２特定し、判断部３４は、第１画像データを非製版領域Ａ２に配置可能か否かを判断する。そして、製版制御部３２は、判断部３４により非製版領域Ａ２に配置可能と判断された第１画像データに基づいて、製版部２０に製版処理を実行させる。
【００６０】
これにより、第１画像データを非製版領域Ａ２に配置可能である場合には、第１画像データを非製版領域Ａ２に製版することが可能になるため、スクリーン版１０を再利用できる。
【００６１】
特に、判断部３４は、製版領域Ａ１が形成されており、第１画像データを非製版領域Ａ２内に配置可能でない場合、第１画像データの第１画像を所定角度回転させたときに非製版領域Ａ２に配置可能か否かを判断する。具体的に、判断部３４は、第１画像を１８０度回転させた第１修正画像（回転画像）を示す第１修正画像データを生成し、生成した第１修正画像データを非製版領域Ａ２に配置可能か否かを判断する。
【００６２】
これにより、元画像となる第１画像の向きに依存せずに、第１画像を回転させた第１修正画像を非形成領域Ａ２に配置可能か否かを判断できるため、非形成領域Ａ２に配置可能な画像が検出され易くなる。よって、製版処理中に製版処理が停止させる場合であっても、スクリーン版１０を可能な限り再利用することができるため、スクリーン版１０が無駄に消費されることを抑制することができる。
【００６３】
なお、スクリーン版１０は、紗枠１３から取り外して反転させるなどの配置調整を行えばスクリーン印刷に支障なく使用できるので、第１画像を１８０度回転させた第１修正画像をスクリーン版１０に製版しても、スクリーン版１０の仕上がりに問題は生じない。
【００６４】
［第１実施形態の変形例１］
次いで、本発明の第１実施形態の変形例１に係る製版装置１について、第１実施形態との相違点に着目して説明する。
【００６５】
ここで、上述した第１実施形態では、ステップＳ５０において、判断部３４は、第１画像を１８０度回転させた第１修正画像（回転画像）を示す第１修正画像データを生成していた。
【００６６】
変形例１では、判断部３４は、第１画像を所定方向にシフト（移動）させた第１修正画像Ｐａｒ（シフト画像）を示す第１修正画像データを生成する。
【００６７】
具体的に、図６に示すように、判断部３４は、第１画像データに示される第１画像を長手方向Ｘに距離αだけシフトさせた第１修正画像Ｐａｒを示す第１修正画像データを生成する。なお、シフトさせる方向は、長手方向Ｘに限定されず、幅方向Ｙであってもよいし、長手方向Ｘと幅方向Ｙとを組み合わせてもよい。
【００６８】
以上のように、第１実施形態の変形例１に係る製版装置１では、第１画像を所定方向にシフト（移動）させた第１修正画像Ｐａｒ（シフト画像）を示す第１修正画像データを生成し、生成した第１修正画像データを非形成領域Ａ２に配置可能か否かを判断する。これにより、第１画像を所定方向にシフト（移動）させた第１修正画像Ｐａｒをスクリーン版１０に再度製版することも可能になるため、スクリーン版１０が無駄に消費されることを可能な限り抑制できる。
【００６９】
［第２実施形態］
次いで、本発明の第２実施形態に係る製版装置１について、第１実施形態との相違点に着目して説明する。
【００７０】
ここで、上述した実施形態に係る製版装置１では、第１修正画像Ｐａｒが製版領域Ａ１と重複する場合、すなわち、第１修正画像が非製版領域Ａ２内に配置可能でない場合（ステップＳ６０“Ｎｏ”）、ステップＳ８０において、判断部３４は、操作パネル部４０の表示画面に再製版不可であることを表す画面を表示して、ユーザに通知していた。しかし、第１画像とは異なる第２画像（他の画像）であれば、非製版領域Ａ２に配置可能となる場合もある。
【００７１】
このような点を鑑みて、第２実施形態では、判断部３４は、第２画像を非製版領域Ａ２に配置可能であるか否かを判断する。すなわち、判断部３４は、第１画像を示す第１画像データ又は第２画像を示す第２画像データを非製版領域Ａ２に配置可能か否かを判断する。
【００７２】
図７は、第２実施形態に係る製版装置１の動作を示すフローチャートである。図７を参照して、第２実施形態に係る製版装置１の動作について説明する。なお、図７に示すステップＳ１１０〜Ｓ１７０の動作は、図３に示すステップＳ１０〜Ｓ７０の動作と同様であるため、説明を省略する。
【００７３】
ステップＳ１８０において、判断部３４は、第１修正画像が非製版領域Ａ２内に配置可能でない場合（ステップＳ１６０“Ｎｏ”）、記憶部５０を参照して、スクリーン版１０の対象画像となる第２画像を示す第２画像データが記憶されているか否かを判定する。
【００７４】
なお、判断部３４は、第２画像データがない場合（ステップＳ１８０“Ｎｏ”）、ステップＳ２５０において、操作パネル部４０の表示画面に再製版不可であることを表す画面を表示して、ユーザに通知する。ここで、“第２画像データがない場合”とは、記憶部５０において第２画像データが記憶されていない場合や、判断部３４が全ての第２画像データを参照し終わった場合を含む。
【００７５】
一方、ステップＳ１８０において、判断部３４は、第２画像データがある場合には（ステップＳ１８０“Ｙｅｓ”）、記憶部５０から第２画像データを取得する。
【００７６】
ステップＳ２００において、判断部３４は、第２画像データを非製版領域Ａ２に配置可能であるか否かを判定する。具体的に、判断部３４は、第２画像データに示される第２画像が、製版領域Ａ１に重複することなく、かつ、非製版領域Ａ２内に配置可能であるか否かを判定する。
【００７７】
ステップＳ２１０において、判断部３４は、第２画像が非製版領域Ａ２に配置可能であると判定した場合（ステップＳ２００“Ｙｅｓ”）、操作パネル部４０の表示画面に第２画像が再製版可能であることを表す画面を表示して、ユーザに通知する。
【００７８】
この後、製版制御部３２は、判断部３４により配置可能と判断された第２画像データに基づいて、製版部２０により製版処理を実行させる。具体的に、製版制御部３２は、製版部２０を制御して、スクリーン版１０に第２画像の再製版を行う。なお、製版制御部３２は、例えば、ユーザによって操作パネル部４０に再製版の指示が入力された場合に、第２画像の再製版を行ってもよい。
【００７９】
一方、ステップＳ２２０において、判断部３４は、第２画像が非製版領域Ａ２に配置可能でないと判定した場合（ステップＳ２００“Ｎｏ”）、第２画像を修正した第２修正画像（他の修正画像）を示す第２修正画像データ（他の修正画像データ）を生成する。
【００８０】
ここで、図８は、スクリーン版１０の全体領域に第２画像Ｐｂを重ね合わせた状態を示す説明図である。また、図８には、第２画像Ｐｂとして文字画像「Ｅ」が一例として示されている。
【００８１】
例えば、判断部３４は、図８に示すように、第２画像Ｐｂが製版領域Ａ１と重複してしまい、非製版領域Ａ２内に配置可能でないと判定した場合、第２修正画像を生成する。
【００８２】
具体的に、判断部３４は、スクリーン版１０の中心Ｃを回転軸として、第２画像データに示される第２画像を所定角度だけ回転させる。なお、所定角度は、１８０度として説明するが、特に限定されず、例えば、９０度であってもよいし、２７０度であってもよい。
【００８３】
そして、判断部３４は、第２画像を１８０度回転させた第２修正画像Ｐｂｒ（回転画像）を示す第２修正画像データを生成する。
【００８４】
ステップＳ２３０において、判断部３４は、第２修正画像Ｐｂｒが非製版領域Ａ２に配置可能であるか否かを判定する。具体的に、判断部３４は、第２修正画像データに示される第２修正画像Ｐｂｒが、製版領域Ａ１に重複することなく、かつ、非製版領域Ａ２内に配置可能であるか否かを判定する。
【００８５】
なお、判断部３４は、第２修正画像Ｐｂｒが非製版領域Ａ２に配置可能でないと判定した場合（ステップＳ２３０“Ｎｏ”）、ステップＳ１８０の動作を繰り返す。
【００８６】
ステップＳ２４０において、判断部３４は、第２修正画像Ｐｂｒが非製版領域Ａ２に配置可能であると判定した場合（ステップＳ２３０“Ｙｅｓ”）、再製版可能であることをユーザに通知する。
【００８７】
ここで、図９は、スクリーン版１０の全体領域に第２修正画像Ｐｂｒを重ね合わせた状態を示す説明図である。例えば、図９に示すように、第２修正画像Ｐｂｒが、製版領域Ａ１に重複することなく、かつ、非製版領域Ａ２内に配置可能である場合、判断部３４は、第２修正画像Ｐｂｒを配置可能であると判断する。
【００８８】
そして、判断部３４は、操作パネル部４０の表示画面に第２修正画像Ｐｂｒが再製版可能であることを表す画面を表示して、ユーザに通知する。この後、製版制御部３２は、判断部３４により配置可能と判断された第２修正画像データに基づいて、製版部２０により製版処理を実行させる。具体的に、製版制御部３２は、製版部２０を制御して、スクリーン版１０に第２修正画像の再製版を行う。なお、製版制御部３２は、例えば、ユーザによって操作パネル部４０に再製版の指示が入力された場合に、第２修正画像の再製版を行ってもよい。
【００８９】
以上のように、本発明の第２実施形態に係る製版装置１では、判断部３４は、第１画像を示す第１画像データ又は第２画像を示す第２画像データを非製版領域Ａ２に配置可能であるか否かを判断する。具体的に、判断部３４は、第１画像及び第１修正画像を非製版領域Ａ２に配置できないと判断した場合には、第２画像を非形成領域Ａ２に配置可能であるか否かを判断する。
【００９０】
これにより、非製版領域Ａ２に配置可能な画像が検出され易くなるため、スクリーン版１０が無駄になることを抑制することができる。
【００９１】
また、本発明の第２実施形態に係る製版装置１では、第２画像データの第２画像を所定角度回転させたときに非製版領域Ａ２に配置可能か否かも判断する。具体的に、判断部３４は、第２画像を１８０度回転させた第２修正画像Ｐｂｒを示す第２修正画像データも非形成領域Ａ２に配置可能か否かを判断する。これにより、非製版領域Ａ２に配置可能な画像が一層検出され易くなるため、スクリーン版１０が無駄になることを一層抑制することができる。
【００９２】
［第２実施形態の変形例１］
次いで、本発明の第２実施形態の変形例１に係る製版装置１について、第２実施形態との相違点に着目して説明する。
【００９３】
ここで、上述した第２実施形態では、ステップＳ２２０において、判断部３４は、第２修正画像データとして、第２画像を回転させた第２修正画像（回転画像）を示す第２修正画像データを生成していた。
【００９４】
変形例１では、判断部３４は、第２画像を所定方向にシフト（移動）させた第２修正画像Ｐｂｒ（シフト画像）を示す第２修正画像データを生成する。
【００９５】
具体的に、図１０に示すように、判断部３４は、第２画像データに示される第２画像を長手方向Ｘに距離βだけシフトさせた第２修正画像Ｐｂｒを示す第２修正画像データを生成する。なお、シフトさせる方向は、長手方向Ｘに限定されず、幅方向Ｙであってもよいし、長手方向Ｘと幅方向Ｙとを組み合わせてもよい。
【００９６】
以上のように、第２実施形態の変形例１に係る製版装置１では、第２画像を所定方向にシフト（移動）させた第２修正画像Ｐｂｒ（シフト画像）を示す第２修正画像データを生成することにより、第２修正画像データを非形成領域Ａ２に配置可能か否かを判断する。これにより、第２画像を所定方向にシフト（移動）させた第２修正画像Ｐａｒをスクリーン版１０に再度製版することが可能になるため、スクリーン版１０が無駄に消費されることを可能な限り抑制できる。
【００９７】
［本発明のその他の実施形態］
以上、上述の実施形態を用いて本発明について詳細に説明したが、当業者にとっては、本発明が本明細書中に説明した実施形態に限定されるものではないということは明らかである。
【００９８】
上述した実施形態に係る製版装置１では、サーマルヘッド２３の幅方向Ｙ方に沿った長さが、スクリーン版１０の幅寸法と略同じ長さで形成されていたが、これに限定されない。
【００９９】
例えば、図１１の製版装置１Ａに示すように、サーマルヘッド２３Ａの幅方向Ｙに沿った長さが、スクリーン版１０の幅方向Ｙに沿った長さよりも短尺に形成されており、かつ、複数の発熱素子２０ｈの数が主走査方向に対して数個〜数十個程度になっていてもよい。
【０１００】
また、短尺なサーマルヘッド２３Ａを備える場合、スクリーン版１０側を固定してサーマルヘッド２３Ａを長手方向Ｘ及び幅方向Ｙに移動させる方法と、サーマルヘッド２３Ａを固定してスクリーン版１０側を長手方向Ｘ及び幅方向Ｙに移動させる方法のいずれを採用してもよい。
【０１０１】
また、図１１に示すように、短尺なサーマルヘッド２３Ａを移動させる方法を採用する場合、製版部２０は、パルスモータ２１及びプラテンローラ２２に替えて、サーマルヘッド２３Ａを長手方向Ｘに往復移動させるＸ方向移動機構部２４Ｘ（２０）と、サーマルヘッド２３Ａを幅方向Ｙに往復移動させるＹ方向移動機構部２４Ｙ（２０）とを備える。
【０１０２】
この場合、スクリーン版１０を取り付けた紗枠１３を固定した上で、Ｘ方向移動機構部２４Ｘ及びＹ方向移動機構部２４Ｙを動作させて、サーマルヘッド２３Ａをスクリーン版１０の一端側から矢印Ｘ１方向の往路方向に移動するときのみ複数の発熱素子２０ｈによりスクリーン版１０の熱溶融性フィルム１２に対して画像データに基づく画像を加熱穿孔する。
【０１０３】
また、上述した第１実施形態では、ステップＳ４０において、判断部３４は、第１画像を示す第１画像データが非製版領域Ａ２に配置可能か否かを判定していたが、判断部３４は、第１画像を示す第１画像データ又は第２画像を示す第２画像データを非製版領域Ａ２に配置可能か否かを判断してもよい。そして、製版制御部３２は、例えば、ユーザの指示が入力された場合などに、判断部３４により非製版領域Ａ２に配置可能と判断された第１画像データ又は第２画像データに基づいて、製版部２０に製版処理をさせてもよい。
【０１０４】
また、上述した第１実施形態では、ステップＳ５０において、判断部３４は、第１画像を修正した第１修正画像を示す第１修正画像データを生成し、ステップＳ６０において、第１修正画像が非製版領域Ａ２に配置可能か否かを判定していたが、これに限定されない。例えば、ステップＳ５０において、判断部３４は、第２画像を修正した第２修正画像を示す第２修正画像データを更に生成し、ステップＳ６０において、第１修正画像又は第２修正画像が非製版領域Ａ２に配置可能か否かを判定してもよい。すなわち、判断部３４は、第１修正画像を示す第１修正画像データ、又は、第２修正画像を示す第２修正画像データを非製版領域Ａ２に配置可能か否かを判断してもよい。
【０１０５】
また、上述した実施形態では、ステップＳ６０において、第１修正画像が、製版領域Ａ１に重複することなく、非製版領域Ａ２内に配置可能である場合、判断部３４が、第１修正画像を配置可能と判断していたが、これに限定されない。
【０１０６】
例えば、第１修正画像が、製版領域Ａ１に重複することなく、非製版領域Ａ２内に配置可能であり、かつ、製版領域Ａ１から所定距離だけ離間した位置に配置可能である場合に、判断部３４は、第１修正画像を配置可能であると判断してもよい。すなわち、製版領域Ａ１から所定距離だけ離間した位置に配置可能であるという条件を更に追加してもよい。これにより、製版処理により製版済となった第１画像の一部を修復する際の修復作業が実行し易くなる。
【０１０７】
なお、同様に、ステップＳ２００（又はステップＳ２３０）においても、第２画像（又は第２修正画像）が、製版領域Ａ１に重複することなく、非製版領域Ａ２内に配置可能であり、かつ、製版領域Ａ１から所定距離だけ離間した位置に配置可能である場合に、判断部３４は、第２画像（又は第２修正画像）を配置可能であると判断してもよい。
【０１０８】
また、第１実施形態の変形例１に係る製版装置１では、所定方向にシフト（移動）させた第１修正画像を生成していたが、第１画像を所定角度回転させた後に、所定方向にシフト（移動）させた第１修正画像を生成してもよい。
【０１０９】
また、同様に、第２実施形態の変形例１に係る製版装置１では、所定方向にシフト（移動）させた第２修正画像を生成していたが、第２画像を所定角度回転させた後に、所定方向にシフト（移動）させた第２修正画像を生成してもよい。
【０１１０】
このように、本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【０１１１】
１…製版装置
１Ａ…製版装置
１０…スクリーン版
１１…スクリーン紗
１２…熱溶融性フィルム
１３…紗枠
２０…製版部
３０…制御部
３１…停止検出部
３２…製版制御部
３３…領域特定部
３４…判断部
４０…操作パネル部
５０…記憶部
Ａ１…製版領域
Ａ２…非製版領域
【図１】
2018001520.tif 000003
【図２】
2018001520.tif 000004
【図３】
2018001520.tif 000005
【図４】
2018001520.tif 000006
【図５】
2018001520.tif 000007
【図６】
2018001520.tif 000008
【図７】
2018001520.tif 000009
【図８】
2018001520.tif 000010
【図９】
2018001520.tif 000011
【図１０】
2018001520.tif 000012
【図１１】
2018001520.tif 000013